(57)【要約】【課題】携帯端末でのテレビ視聴時に録画装置に対して録画要求した場合、録画要求から録画装置における実際の録画開始までの間についても録画洩れを発生させない。【解決手段】携帯端末１０でのテレビ視聴中に録画操作がされると携帯端末１０は視聴中の番組を自端末内に録画開始し、視聴中の番組のチャンネル情報と現在日時情報を取得して番組情報提供サーバ２０に送信し、番組情報提供サーバ２０がチャンネル情報と現在日時情報を基に該当番組の終了時刻を検索，取得して携帯端末１０に送信し、携帯端末１０がチャンネル情報と終了時刻情報を含む録画要求メールを生成して録画装置３０に送信し、録画装置３０が受信したチャンネル情報と終了時刻情報を基に録画を行い、録画が開始されたかを録画装置３０が判別して判別結果を携帯端末１０に送信し、録画装置３０から録画開始成功の通知を受信した場合に携帯端末１０が自端末への録画を終了する。【選択図】      図１
2007201652.tif 000002
【特許請求の範囲】
【請求項１】
テレビ放送受信機能を備えた携帯端末と番組情報提供サーバと録画装置とがネットワークを介して接続される番組録画システムであって、
前記携帯端末は、テレビ視聴中にユーザが録画操作を行うことにより視聴中の番組を自端末の記憶媒体に録画開始する手段と、録画操作時に視聴中の番組のチャンネル情報と現在日時情報を取得して前記番組情報提供サーバに送信する手段と、前記番組情報提供サーバから視聴中の番組の終了時刻情報を受信したときに、チャンネル情報と終了時刻情報を含む録画要求メールを生成し前記録画装置に送信する手段と、前記録画装置から録画開始結果通知メールを受信し録画開始の成功，失敗を表示する手段とを有し、
前記番組情報提供サーバは、番組情報を格納した番組情報データベースと、前記携帯端末から受信したチャンネル情報と現在日時情報を基に前記番組情報データベースから該当番組の終了時刻を検索，取得し前記携帯端末に送信する手段とを有し、
前記録画装置は、受信した録画要求メールに含まれるチャンネル情報と終了時刻情報を基に録画を行う手段と、録画が開始されたかを判別する手段と、録画開始の成功，失敗を含む録画開始結果通知メールを生成し前記携帯端末に送信する手段とを有することを特徴とする番組録画システム。
【請求項２】
テレビ放送受信機能を備えた携帯端末と番組情報提供サーバと録画装置とがネットワークを介して接続される番組録画システムであって、
前記携帯端末は、テレビ視聴中にユーザが録画操作を行うことにより視聴中の番組を自端末の記憶媒体に録画開始する手段と、録画操作時に視聴中の番組のチャンネル情報と現在日時情報を取得し、チャンネル情報と現在日時情報を含む録画要求メールを生成して前記録画装置に送信する手段と、前記録画装置から録画開始結果通知メールを受信し録画開始の成功，失敗を表示する手段とを有し、
前記番組情報提供サーバは、番組情報を格納した番組情報データベースと、前記録画装置から受信したチャンネル情報と現在日時情報を基に前記番組情報データベースから該当番組の終了時刻を検索，取得し前記録画装置に送信する手段とを有し、
前記録画装置は、受信した録画要求メールに含まれるチャンネル情報と現在日時情報を前記番組情報提供サーバに送信する手段と、前記番組情報提供サーバから該当番組の終了時刻情報を受信し録画を行う手段と、録画が開始されたかを判別する手段と、録画開始の成功，失敗を含む録画開始結果通知メールを生成し前記携帯端末に送信する手段とを有することを特徴とする番組録画システム。
【請求項３】
テレビ放送受信機能を備えた携帯端末と番組情報提供サーバと録画装置とがネットワークを介して接続される番組録画システムであって、
前記携帯端末は、テレビ視聴開始時に視聴開始した番組を自端末の記憶媒体に録画開始する手段と、テレビ視聴中にユーザが録画要求メール送信操作を行うことにより視聴中の番組のチャンネル情報と現在日時情報を取得して前記番組情報提供サーバに送信する手段と、前記番組情報提供サーバから視聴中の番組の終了時刻情報を受信したときに、チャンネル情報と終了時刻情報を含む録画要求メールを生成し前記録画装置に送信する手段と、前記録画装置から録画開始結果通知メールを受信し録画開始の成功，失敗を表示する手段とを有し、
前記番組情報提供サーバは、番組情報を格納した番組情報データベースと、前記携帯端末から受信したチャンネル情報と現在日時情報を基に前記番組情報データベースから該当番組の終了時刻を検索，取得し前記携帯端末に送信する手段とを有し、
前記録画装置は、受信した録画要求メールに含まれるチャンネル情報と終了時刻情報を基に録画を行う手段と、録画が開始されたかを判別する手段と、録画開始の成功，失敗を含む録画開始結果通知メールを生成し前記携帯端末に送信する手段とを有することを特徴とする番組録画システム。
【請求項４】
テレビ放送受信機能を備えた携帯端末と番組情報提供サーバと録画装置とがネットワークを介して接続される番組録画システムであって、
前記携帯端末は、テレビ視聴開始時に視聴開始した番組を自端末の記憶媒体に録画開始する手段と、テレビ視聴中にユーザが録画要求メール送信操作を行うことにより視聴中の番組のチャンネル情報と現在日時情報を取得し、チャンネル情報と現在日時情報を含む録画要求メールを生成して前記録画装置に送信する手段と、前記録画装置から録画開始結果通知メールを受信し録画開始の成功，失敗を表示する手段とを有し、
前記番組情報提供サーバは、番組情報を格納した番組情報データベースと、前記録画装置から受信したチャンネル情報と現在日時情報を基に前記番組情報データベースから該当番組の終了時刻を検索，取得し前記録画装置に送信する手段とを有し、
前記録画装置は、受信した録画要求メールに含まれるチャンネル情報と現在日時情報を前記番組情報提供サーバに送信する手段と、前記番組情報提供サーバから該当番組の終了時刻情報を受信し録画を行う手段と、録画が開始されたかを判別する手段と、録画開始の成功，失敗を含む録画開始結果通知メールを生成し前記携帯端末に送信する手段とを有することを特徴とする番組録画システム。
【請求項５】
前記携帯端末は、前記録画装置から録画開始成功の通知を受信した場合に自端末の記憶媒体への録画を終了する手段を、さらに有することを特徴とする請求項１〜４のいずれか１項記載の番組録画システム。
【請求項６】
前記携帯端末は、自端末の記憶媒体に保存された録画情報を録画終了時に前記録画装置に送信する手段と、前記録画装置に送信した後に自端末の記憶媒体に保存された録画情報を消去する手段とをさらに有し、前記録画装置は、前記携帯端末から受信した録画情報を保存する手段をさらに有することを特徴とする請求項５記載の番組録画システム。
【請求項７】
番組情報提供サーバと録画装置とにネットワークを介して接続されるテレビ放送受信機能付き携帯端末であって、
テレビ視聴中にユーザが録画操作を行うことにより視聴中の番組を自端末の記憶媒体に録画開始する手段と、録画操作時に視聴中の番組のチャンネル情報と現在日時情報を取得して前記番組情報提供サーバに送信する手段と、前記番組情報提供サーバから視聴中の番組の終了時刻情報を受信したときに、チャンネル情報と終了時刻情報を含む録画要求メールを生成し前記録画装置に送信する手段と、前記録画装置から録画開始結果通知メールを受信し録画開始の成功，失敗を表示する手段とを有することを特徴とするテレビ放送受信機能付き携帯端末。
【請求項８】
録画装置にネットワークを介して接続されるテレビ放送受信機能付き携帯端末であって、
テレビ視聴中にユーザが録画操作を行うことにより視聴中の番組を自端末の記憶媒体に録画開始する手段と、録画操作時に視聴中の番組のチャンネル情報と現在日時情報を取得し、チャンネル情報と現在日時情報を含む録画要求メールを生成して前記録画装置に送信する手段と、前記録画装置から録画開始結果通知メールを受信し録画開始の成功，失敗を表示する手段とを有することを特徴とするテレビ放送受信機能付き携帯端末。
【請求項９】
番組情報提供サーバと録画装置とにネットワークを介して接続されるテレビ放送受信機能付き携帯端末であって、
テレビ視聴開始時に視聴開始した番組を自端末の記憶媒体に録画開始する手段と、テレビ視聴中にユーザが録画要求メール送信操作を行うことにより視聴中の番組のチャンネル情報と現在日時情報を取得して前記番組情報提供サーバに送信する手段と、前記番組情報提供サーバから視聴中の番組の終了時刻情報を受信したときに、チャンネル情報と終了時刻情報を含む録画要求メールを生成し前記録画装置に送信する手段と、前記録画装置から録画開始結果通知メールを受信し録画開始の成功，失敗を表示する手段とを有することを特徴とするテレビ放送受信機能付き携帯端末。
【請求項１０】
録画装置にネットワークを介して接続されるテレビ放送受信機能付き携帯端末であって、
テレビ視聴開始時に視聴開始した番組を自端末の記憶媒体に録画開始する手段と、テレビ視聴中にユーザが録画要求メール送信操作を行うことにより視聴中の番組のチャンネル情報と現在日時情報を取得し、チャンネル情報と現在日時情報を含む録画要求メールを生成して前記録画装置に送信する手段と、前記録画装置から録画開始結果通知メールを受信し録画開始の成功，失敗を表示する手段とを有することを特徴とするテレビ放送受信機能付き携帯端末。
【請求項１１】
前記録画装置から録画開始成功の通知を受信した場合に自端末の記憶媒体への録画を終了する手段を、さらに有することを特徴とする請求項７〜１０のいずれか１項記載のテレビ放送受信機能付き携帯端末。
【請求項１２】
自端末の記憶媒体に保存された録画情報を録画終了時に前記録画装置に送信する手段と、前記録画装置に送信した後に自端末の記憶媒体に保存された録画情報を消去する手段とを、さらに有することを特徴とする請求項１１記載のテレビ放送受信機能付き携帯端末。
【請求項１３】
テレビ放送受信機能を備えた携帯端末と番組情報提供サーバと録画装置とを用いた番組録画方法であって、
前記携帯端末でのテレビ視聴中にユーザが録画操作を行うことにより前記携帯端末が視聴中の番組を自端末内に録画開始するステップと、録画操作時に前記携帯端末が視聴中の番組のチャンネル情報と現在日時情報を取得して前記番組情報提供サーバに送信するステップと、前記番組情報提供サーバがチャンネル情報と現在日時情報を基に内部データベースから該当番組の終了時刻を検索，取得して前記携帯端末に送信するステップと、終了時刻情報を受信した前記携帯端末がチャンネル情報と終了時刻情報を含む録画要求メールを生成し前記録画装置に送信するステップと、前記録画装置が受信したチャンネル情報と終了時刻情報を基に録画を行うステップと、録画が開始されたかを前記録画装置が判別し、録画開始の成功，失敗を含む録画開始結果通知メールを生成して前記携帯端末に送信するステップと、録画開始結果通知メールを受信した前記携帯端末が録画開始の成功，失敗を表示するステップと、前記録画装置から録画開始成功の通知を受信した場合に前記携帯端末が自端末への録画を終了するステップとを有することを特徴とする番組録画方法。
【請求項１４】
テレビ放送受信機能を備えた携帯端末と番組情報提供サーバと録画装置とを用いた番組録画方法であって、
前記携帯端末でのテレビ視聴中にユーザが録画操作を行うことにより前記携帯端末が視聴中の番組を自端末内に録画開始するステップと、録画操作時に前記携帯端末が視聴中の番組のチャンネル情報と現在日時情報を取得し、チャンネル情報と現在日時情報を含む録画要求メールを生成して前記録画装置に送信するステップと、前記録画装置が受信したチャンネル情報と現在日時情報を前記番組情報提供サーバに送信するステップと、前記番組情報提供サーバがチャンネル情報と現在日時情報を基に内部データベースから該当番組の終了時刻を検索，取得して前記録画装置に送信するステップと、終了時刻情報を受信した前記録画装置がチャンネル情報と終了時刻情報を基に録画を行うステップと、録画が開始されたかを前記録画装置が判別し、録画開始の成功，失敗を含む録画開始結果通知メールを生成して前記携帯端末に送信するステップと、録画開始結果通知メールを受信した前記携帯端末が録画開始の成功，失敗を表示するステップと、前記録画装置から録画開始成功の通知を受信した場合に前記携帯端末が自端末への録画を終了するステップとを有することを特徴とする番組録画方法。
【請求項１５】
テレビ放送受信機能を備えた携帯端末と番組情報提供サーバと録画装置とを用いた番組録画方法であって、
前記携帯端末でのテレビ視聴開始時に前記携帯端末が自端末の記憶媒体に視聴開始した番組を録画開始するステップと、テレビ視聴中にユーザが録画要求メール送信操作を行うことにより前記携帯端末が視聴中の番組のチャンネル情報と現在日時情報を取得して前記番組情報提供サーバに送信するステップと、前記番組情報提供サーバがチャンネル情報と現在日時情報を基に内部データベースから該当番組の終了時刻を検索，取得して前記携帯端末に送信するステップと、終了時刻情報を受信した前記携帯端末がチャンネル情報と終了時刻情報を含む録画要求メールを生成し前記録画装置に送信するステップと、前記録画装置が受信したチャンネル情報と終了時刻情報を基に録画を行うステップと、録画が開始されたかを前記録画装置が判別し、録画開始の成功，失敗を含む録画開始結果通知メールを生成して前記携帯端末に送信するステップと、録画開始結果通知メールを受信した前記携帯端末が録画開始の成功，失敗を表示するステップと、前記録画装置から録画開始成功の通知を受信した場合に前記携帯端末が自端末への録画を終了するステップとを有することを特徴とする番組録画方法。
【請求項１６】
テレビ放送受信機能を備えた携帯端末と番組情報提供サーバと録画装置とを用いた番組録画方法であって、
前記携帯端末でのテレビ視聴開始時に前記携帯端末が自端末の記憶媒体に視聴開始した番組を録画開始するステップと、テレビ視聴中にユーザが録画要求メール送信操作を行うことにより前記携帯端末が視聴中の番組のチャンネル情報と現在日時情報を取得し、チャンネル情報と現在日時情報を含む録画要求メールを生成して前記録画装置に送信するステップと、前記録画装置が受信したチャンネル情報と現在日時情報を前記番組情報提供サーバに送信するステップと、前記番組情報提供サーバがチャンネル情報と現在日時情報を基に内部データベースから該当番組の終了時刻を検索，取得して前記録画装置に送信するステップと、終了時刻情報を受信した前記録画装置がチャンネル情報と終了時刻情報を基に録画を行うステップと、録画が開始されたかを前記録画装置が判別し、録画開始の成功，失敗を含む録画開始結果通知メールを生成して前記携帯端末に送信するステップと、録画開始結果通知メールを受信した前記携帯端末が録画開始の成功，失敗を表示するステップと、前記録画装置から録画開始成功の通知を受信した場合に前記携帯端末が自端末への録画を終了するステップとを有することを特徴とする番組録画方法。
【請求項１７】
テレビ視聴中にユーザが録画操作を行うことにより視聴中の番組を自端末の記憶媒体に録画開始する機能、録画操作時に視聴中の番組のチャンネル情報と現在日時情報を取得して第１の外部装置に送信する機能、前記第１の外部装置から視聴中の番組の終了時刻情報を受信したときに、チャンネル情報と終了時刻情報を含む録画要求メールを生成し第２の外部装置に送信する機能、前記第２の外部装置から録画開始結果通知メールを受信し録画開始の成功，失敗を表示する機能、前記第２の外部装置から録画開始成功の通知を受信した場合に自端末の記憶媒体への録画を終了する機能、自端末の記憶媒体に保存された録画情報を録画終了時に前記第２の外部装置に送信する機能、前記第２の外部装置に送信した後に自端末の記憶媒体に保存された録画情報を消去する機能、をコンピュータに実現させるためのプログラム。
【請求項１８】
テレビ視聴中にユーザが録画操作を行うことにより視聴中の番組を自端末の記憶媒体に録画開始する機能、録画操作時に視聴中の番組のチャンネル情報と現在日時情報を取得し、チャンネル情報と現在日時情報を含む録画要求メールを生成して外部装置に送信する機能、前記外部装置から録画開始結果通知メールを受信し録画開始の成功，失敗を表示する機能、前記外部装置から録画開始成功の通知を受信した場合に自端末の記憶媒体への録画を終了する機能、自端末の記憶媒体に保存された録画情報を録画終了時に前記外部装置に送信する機能、前記外部装置に送信した後に自端末の記憶媒体に保存された録画情報を消去する機能、をコンピュータに実現させるためのプログラム。
【請求項１９】
テレビ視聴開始時に視聴開始した番組を自端末の記憶媒体に録画開始する機能、テレビ視聴中にユーザが録画要求メール送信操作を行うことにより視聴中の番組のチャンネル情報と現在日時情報を取得して前記第１の外部装置に送信する機能、前記第１の外部装置から視聴中の番組の終了時刻情報を受信したときに、チャンネル情報と終了時刻情報を含む録画要求メールを生成し前記第２の外部装置に送信する機能、前記第２の外部装置から録画開始結果通知メールを受信し録画開始の成功，失敗を表示する機能、前記第２の外部装置から録画開始成功の通知を受信した場合に自端末の記憶媒体への録画を終了する機能、自端末の記憶媒体に保存された録画情報を録画終了時に前記第２の外部装置に送信する機能、前記第２の外部装置に送信した後に自端末の記憶媒体に保存された録画情報を消去する機能、をコンピュータに実現させるためのプログラム。
【請求項２０】
テレビ視聴開始時に視聴開始した番組を自端末の記憶媒体に録画開始する機能、テレビ視聴中にユーザが録画要求メール送信操作を行うことにより視聴中の番組のチャンネル情報と現在日時情報を取得し、チャンネル情報と現在日時情報を含む録画要求メールを生成して外部装置に送信する機能、前記外部装置から録画開始結果通知メールを受信し録画開始の成功，失敗を表示する機能、前記外部装置から録画開始成功の通知を受信した場合に自端末の記憶媒体への録画を終了する機能、自端末の記憶媒体に保存された録画情報を録画終了時に前記外部装置に送信する機能、前記外部装置に送信した後に自端末の記憶媒体に保存された録画情報を消去する機能、をコンピュータに実現させるためのプログラム。
【発明の詳細な説明】
【技術分野】
【０００１】
本発明は、番組録画システム，テレビ放送受信機能付き携帯端末，番組録画方法およびプログラムに関し、特にテレビ視聴中における番組録画システム，テレビ放送受信機能付き携帯端末，番組録画方法およびプログラムに関する。
【背景技術】
【０００２】
携帯端末でテレビ視聴中に遠隔地の番組録画装置への録画を行う例が、特開２００５−２５２８４３号公報（特許文献１）に記載されている。この特許文献１においては、
・ユーザがテレビ放送受信機能を有する携帯端末によってテレビ番組を視聴中に、何らかの理由により視聴が強制終了された場合、終了直前のチャンネル情報を取得し、
・携帯端末に格納されたテレビ番組表から視聴していた番組の終了時刻を取得し、
・チャンネル情報と録画終了時刻を通知する録画要求メールを生成して番組録画装置に送信し、
・番組録画装置は受信したチャンネル情報と録画終了時刻に基づいて番組録画を行う、
ことが記載されている。
【０００３】
【特許文献１】特開２００５−２５２８４３号公報（段落「００３４」〜「００４０」、「００５２」〜「００５３」、図１）
【発明の開示】
【発明が解決しようとする課題】
【０００４】
上述した特許文献１においては、視聴の強制終了から番組録画装置における実際の録画開始までの間については録画ができないため、ユーザにとって視聴できない部分が発生してしまうという問題がある。例えば、ネットワークの輻輳等による録画要求メールの遅れや、番組録画装置における録画開始設定時刻等により、視聴強制終了時点から録画開始までに軽視できない時間が発生する可能性がある。
【０００５】
また、上述した特許文献１においては、録画終了時刻を携帯端末に格納されたテレビ番組表から取得しているため、携帯端末において最新のテレビ番組表を保持，管理しなければならないという問題がある。
【０００６】
本発明の目的は、以上の課題を解決する番組録画システム，テレビ放送受信機能付き携帯端末，番組録画方法およびプログラムを提供することにある。
【課題を解決するための手段】
【０００７】
本発明の第１の番組録画システムは、テレビ放送受信機能を備えた携帯端末と番組情報提供サーバと録画装置とがネットワークを介して接続される番組録画システムであって、
前記携帯端末は、テレビ視聴中にユーザが録画操作を行うことにより視聴中の番組を自端末の記憶媒体に録画開始する手段と、録画操作時に視聴中の番組のチャンネル情報と現在日時情報を取得して前記番組情報提供サーバに送信する手段と、前記番組情報提供サーバから視聴中の番組の終了時刻情報を受信したときに、チャンネル情報と終了時刻情報を含む録画要求メールを生成し前記録画装置に送信する手段と、前記録画装置から録画開始結果通知メールを受信し録画開始の成功，失敗を表示する手段とを有し、
前記番組情報提供サーバは、番組情報を格納した番組情報データベースと、前記携帯端末から受信したチャンネル情報と現在日時情報を基に前記番組情報データベースから該当番組の終了時刻を検索，取得し前記携帯端末に送信する手段とを有し、
前記録画装置は、受信した録画要求メールに含まれるチャンネル情報と終了時刻情報を基に録画を行う手段と、録画が開始されたかを判別する手段と、録画開始の成功，失敗を含む録画開始結果通知メールを生成し前記携帯端末に送信する手段とを有する。
【０００８】
本発明の第２の番組録画システムは、テレビ放送受信機能を備えた携帯端末と番組情報提供サーバと録画装置とがネットワークを介して接続される番組録画システムであって、
前記携帯端末は、テレビ視聴中にユーザが録画操作を行うことにより視聴中の番組を自端末の記憶媒体に録画開始する手段と、録画操作時に視聴中の番組のチャンネル情報と現在日時情報を取得し、チャンネル情報と現在日時情報を含む録画要求メールを生成して前記録画装置に送信する手段と、前記録画装置から録画開始結果通知メールを受信し録画開始の成功，失敗を表示する手段とを有し、
前記番組情報提供サーバは、番組情報を格納した番組情報データベースと、前記録画装置から受信したチャンネル情報と現在日時情報を基に前記番組情報データベースから該当番組の終了時刻を検索，取得し前記録画装置に送信する手段とを有し、
前記録画装置は、受信した録画要求メールに含まれるチャンネル情報と現在日時情報を前記番組情報提供サーバに送信する手段と、前記番組情報提供サーバから該当番組の終了時刻情報を受信し録画を行う手段と、録画が開始されたかを判別する手段と、録画開始の成功，失敗を含む録画開始結果通知メールを生成し前記携帯端末に送信する手段とを有する。
【０００９】
本発明の第３の番組録画システムは、テレビ放送受信機能を備えた携帯端末と番組情報提供サーバと録画装置とがネットワークを介して接続される番組録画システムであって、
前記携帯端末は、テレビ視聴開始時に視聴開始した番組を自端末の記憶媒体に録画開始する手段と、テレビ視聴中にユーザが録画要求メール送信操作を行うことにより視聴中の番組のチャンネル情報と現在日時情報を取得して前記番組情報提供サーバに送信する手段と、前記番組情報提供サーバから視聴中の番組の終了時刻情報を受信したときに、チャンネル情報と終了時刻情報を含む録画要求メールを生成し前記録画装置に送信する手段と、前記録画装置から録画開始結果通知メールを受信し録画開始の成功，失敗を表示する手段とを有し、
前記番組情報提供サーバは、番組情報を格納した番組情報データベースと、前記携帯端末から受信したチャンネル情報と現在日時情報を基に前記番組情報データベースから該当番組の終了時刻を検索，取得し前記携帯端末に送信する手段とを有し、
前記録画装置は、受信した録画要求メールに含まれるチャンネル情報と終了時刻情報を基に録画を行う手段と、録画が開始されたかを判別する手段と、録画開始の成功，失敗を含む録画開始結果通知メールを生成し前記携帯端末に送信する手段とを有する。
【００１０】
本発明の第４の番組録画システムは、テレビ放送受信機能を備えた携帯端末と番組情報提供サーバと録画装置とがネットワークを介して接続される番組録画システムであって、
前記携帯端末は、テレビ視聴開始時に視聴開始した番組を自端末の記憶媒体に録画開始する手段と、テレビ視聴中にユーザが録画要求メール送信操作を行うことにより視聴中の番組のチャンネル情報と現在日時情報を取得し、チャンネル情報と現在日時情報を含む録画要求メールを生成して前記録画装置に送信する手段と、前記録画装置から録画開始結果通知メールを受信し録画開始の成功，失敗を表示する手段とを有し、
前記番組情報提供サーバは、番組情報を格納した番組情報データベースと、前記録画装置から受信したチャンネル情報と現在日時情報を基に前記番組情報データベースから該当番組の終了時刻を検索，取得し前記録画装置に送信する手段とを有し、
前記録画装置は、受信した録画要求メールに含まれるチャンネル情報と現在日時情報を前記番組情報提供サーバに送信する手段と、前記番組情報提供サーバから該当番組の終了時刻情報を受信し録画を行う手段と、録画が開始されたかを判別する手段と、録画開始の成功，失敗を含む録画開始結果通知メールを生成し前記携帯端末に送信する手段とを有する。
【００１１】
本発明の第５の番組録画システムは、本発明の第１〜第４のいずれかの番組録画システムにおいて、前記携帯端末は、前記録画装置から録画開始成功の通知を受信した場合に自端末の記憶媒体への録画を終了する手段を、さらに有する。
【００１２】
本発明の第６の番組録画システムは、本発明の第５の番組録画システムにおいて、前記携帯端末は、自端末の記憶媒体に保存された録画情報を録画終了時に前記録画装置に送信する手段と、前記録画装置に送信した後に自端末の記憶媒体に保存された録画情報を消去する手段とをさらに有し、前記録画装置は、前記携帯端末から受信した録画情報を保存する手段をさらに有する。
【００１３】
本発明の第１のテレビ放送受信機能付き携帯端末は、番組情報提供サーバと録画装置とにネットワークを介して接続されるテレビ放送受信機能付き携帯端末であって、
テレビ視聴中にユーザが録画操作を行うことにより視聴中の番組を自端末の記憶媒体に録画開始する手段と、録画操作時に視聴中の番組のチャンネル情報と現在日時情報を取得して前記番組情報提供サーバに送信する手段と、前記番組情報提供サーバから視聴中の番組の終了時刻情報を受信したときに、チャンネル情報と終了時刻情報を含む録画要求メールを生成し前記録画装置に送信する手段と、前記録画装置から録画開始結果通知メールを受信し録画開始の成功，失敗を表示する手段とを有する。
【００１４】
本発明の第２のテレビ放送受信機能付き携帯端末は、録画装置にネットワークを介して接続されるテレビ放送受信機能付き携帯端末であって、
テレビ視聴中にユーザが録画操作を行うことにより視聴中の番組を自端末の記憶媒体に録画開始する手段と、録画操作時に視聴中の番組のチャンネル情報と現在日時情報を取得し、チャンネル情報と現在日時情報を含む録画要求メールを生成して前記録画装置に送信する手段と、前記録画装置から録画開始結果通知メールを受信し録画開始の成功，失敗を表示する手段とを有する。
【００１５】
本発明の第３のテレビ放送受信機能付き携帯端末は、番組情報提供サーバと録画装置とにネットワークを介して接続されるテレビ放送受信機能付き携帯端末であって、
テレビ視聴開始時に視聴開始した番組を自端末の記憶媒体に録画開始する手段と、テレビ視聴中にユーザが録画要求メール送信操作を行うことにより視聴中の番組のチャンネル情報と現在日時情報を取得して前記番組情報提供サーバに送信する手段と、前記番組情報提供サーバから視聴中の番組の終了時刻情報を受信したときに、チャンネル情報と終了時刻情報を含む録画要求メールを生成し前記録画装置に送信する手段と、前記録画装置から録画開始結果通知メールを受信し録画開始の成功，失敗を表示する手段とを有する。
【００１６】
本発明の第４のテレビ放送受信機能付き携帯端末は、録画装置にネットワークを介して接続されるテレビ放送受信機能付き携帯端末であって、
テレビ視聴開始時に視聴開始した番組を自端末の記憶媒体に録画開始する手段と、テレビ視聴中にユーザが録画要求メール送信操作を行うことにより視聴中の番組のチャンネル情報と現在日時情報を取得し、チャンネル情報と現在日時情報を含む録画要求メールを生成して前記録画装置に送信する手段と、前記録画装置から録画開始結果通知メールを受信し録画開始の成功，失敗を表示する手段とを有する。
【００１７】
本発明の第５のテレビ放送受信機能付き携帯端末は、本発明の第１〜第４のいずれかのテレビ放送受信機能付き携帯端末において、前記録画装置から録画開始成功の通知を受信した場合に自端末の記憶媒体への録画を終了する手段を、さらに有する。
【００１８】
本発明の第６のテレビ放送受信機能付き携帯端末は、本発明の第５のテレビ放送受信機能付き携帯端末において、自端末の記憶媒体に保存された録画情報を録画終了時に前記録画装置に送信する手段と、前記録画装置に送信した後に自端末の記憶媒体に保存された録画情報を消去する手段とを、さらに有する。
【００１９】
本発明の第１の番組録画方法は、テレビ放送受信機能を備えた携帯端末と番組情報提供サーバと録画装置とを用いた番組録画方法であって、
前記携帯端末でのテレビ視聴中にユーザが録画操作を行うことにより前記携帯端末が視聴中の番組を自端末内に録画開始するステップと、録画操作時に前記携帯端末が視聴中の番組のチャンネル情報と現在日時情報を取得して前記番組情報提供サーバに送信するステップと、前記番組情報提供サーバがチャンネル情報と現在日時情報を基に内部データベースから該当番組の終了時刻を検索，取得して前記携帯端末に送信するステップと、終了時刻情報を受信した前記携帯端末がチャンネル情報と終了時刻情報を含む録画要求メールを生成し前記録画装置に送信するステップと、前記録画装置が受信したチャンネル情報と終了時刻情報を基に録画を行うステップと、録画が開始されたかを前記録画装置が判別し、録画開始の成功，失敗を含む録画開始結果通知メールを生成して前記携帯端末に送信するステップと、録画開始結果通知メールを受信した前記携帯端末が録画開始の成功，失敗を表示するステップと、前記録画装置から録画開始成功の通知を受信した場合に前記携帯端末が自端末への録画を終了するステップとを有する。
【００２０】
本発明の第２の番組録画方法は、テレビ放送受信機能を備えた携帯端末と番組情報提供サーバと録画装置とを用いた番組録画方法であって、
前記携帯端末でのテレビ視聴中にユーザが録画操作を行うことにより前記携帯端末が視聴中の番組を自端末内に録画開始するステップと、録画操作時に前記携帯端末が視聴中の番組のチャンネル情報と現在日時情報を取得し、チャンネル情報と現在日時情報を含む録画要求メールを生成して前記録画装置に送信するステップと、前記録画装置が受信したチャンネル情報と現在日時情報を前記番組情報提供サーバに送信するステップと、前記番組情報提供サーバがチャンネル情報と現在日時情報を基に内部データベースから該当番組の終了時刻を検索，取得して前記録画装置に送信するステップと、終了時刻情報を受信した前記録画装置がチャンネル情報と終了時刻情報を基に録画を行うステップと、録画が開始されたかを前記録画装置が判別し、録画開始の成功，失敗を含む録画開始結果通知メールを生成して前記携帯端末に送信するステップと、録画開始結果通知メールを受信した前記携帯端末が録画開始の成功，失敗を表示するステップと、前記録画装置から録画開始成功の通知を受信した場合に前記携帯端末が自端末への録画を終了するステップとを有する。
【００２１】
本発明の第３の番組録画方法は、テレビ放送受信機能を備えた携帯端末と番組情報提供サーバと録画装置とを用いた番組録画方法であって、
前記携帯端末でのテレビ視聴開始時に前記携帯端末が自端末の記憶媒体に視聴開始した番組を録画開始するステップと、テレビ視聴中にユーザが録画要求メール送信操作を行うことにより前記携帯端末が視聴中の番組のチャンネル情報と現在日時情報を取得して前記番組情報提供サーバに送信するステップと、前記番組情報提供サーバがチャンネル情報と現在日時情報を基に内部データベースから該当番組の終了時刻を検索，取得して前記携帯端末に送信するステップと、終了時刻情報を受信した前記携帯端末がチャンネル情報と終了時刻情報を含む録画要求メールを生成し前記録画装置に送信するステップと、前記録画装置が受信したチャンネル情報と終了時刻情報を基に録画を行うステップと、録画が開始されたかを前記録画装置が判別し、録画開始の成功，失敗を含む録画開始結果通知メールを生成して前記携帯端末に送信するステップと、録画開始結果通知メールを受信した前記携帯端末が録画開始の成功，失敗を表示するステップと、前記録画装置から録画開始成功の通知を受信した場合に前記携帯端末が自端末への録画を終了するステップとを有する。
【００２２】
本発明の第４の番組録画方法は、テレビ放送受信機能を備えた携帯端末と番組情報提供サーバと録画装置とを用いた番組録画方法であって、
前記携帯端末でのテレビ視聴開始時に前記携帯端末が自端末の記憶媒体に視聴開始した番組を録画開始するステップと、テレビ視聴中にユーザが録画要求メール送信操作を行うことにより前記携帯端末が視聴中の番組のチャンネル情報と現在日時情報を取得し、チャンネル情報と現在日時情報を含む録画要求メールを生成して前記録画装置に送信するステップと、前記録画装置が受信したチャンネル情報と現在日時情報を前記番組情報提供サーバに送信するステップと、前記番組情報提供サーバがチャンネル情報と現在日時情報を基に内部データベースから該当番組の終了時刻を検索，取得して前記録画装置に送信するステップと、終了時刻情報を受信した前記録画装置がチャンネル情報と終了時刻情報を基に録画を行うステップと、録画が開始されたかを前記録画装置が判別し、録画開始の成功，失敗を含む録画開始結果通知メールを生成して前記携帯端末に送信するステップと、録画開始結果通知メールを受信した前記携帯端末が録画開始の成功，失敗を表示するステップと、前記録画装置から録画開始成功の通知を受信した場合に前記携帯端末が自端末への録画を終了するステップとを有する。
【００２３】
本発明の第１のプログラムは、テレビ視聴中にユーザが録画操作を行うことにより視聴中の番組を自端末の記憶媒体に録画開始する機能、録画操作時に視聴中の番組のチャンネル情報と現在日時情報を取得して第１の外部装置に送信する機能、前記第１の外部装置から視聴中の番組の終了時刻情報を受信したときに、チャンネル情報と終了時刻情報を含む録画要求メールを生成し第２の外部装置に送信する機能、前記第２の外部装置から録画開始結果通知メールを受信し録画開始の成功，失敗を表示する機能、前記第２の外部装置から録画開始成功の通知を受信した場合に自端末の記憶媒体への録画を終了する機能、自端末の記憶媒体に保存された録画情報を録画終了時に前記第２の外部装置に送信する機能、前記第２の外部装置に送信した後に自端末の記憶媒体に保存された録画情報を消去する機能、をコンピュータに実現させる。
【００２４】
本発明の第２のプログラムは、テレビ視聴中にユーザが録画操作を行うことにより視聴中の番組を自端末の記憶媒体に録画開始する機能、録画操作時に視聴中の番組のチャンネル情報と現在日時情報を取得し、チャンネル情報と現在日時情報を含む録画要求メールを生成して外部装置に送信する機能、前記外部装置から録画開始結果通知メールを受信し録画開始の成功，失敗を表示する機能、前記外部装置から録画開始成功の通知を受信した場合に自端末の記憶媒体への録画を終了する機能、自端末の記憶媒体に保存された録画情報を録画終了時に前記外部装置に送信する機能、前記外部装置に送信した後に自端末の記憶媒体に保存された録画情報を消去する機能、をコンピュータに実現させる。
【００２５】
本発明の第３のプログラムは、テレビ視聴開始時に視聴開始した番組を自端末の記憶媒体に録画開始する機能、テレビ視聴中にユーザが録画要求メール送信操作を行うことにより視聴中の番組のチャンネル情報と現在日時情報を取得して前記第１の外部装置に送信する機能、前記第１の外部装置から視聴中の番組の終了時刻情報を受信したときに、チャンネル情報と終了時刻情報を含む録画要求メールを生成し前記第２の外部装置に送信する機能、前記第２の外部装置から録画開始結果通知メールを受信し録画開始の成功，失敗を表示する機能、前記第２の外部装置から録画開始成功の通知を受信した場合に自端末の記憶媒体への録画を終了する機能、自端末の記憶媒体に保存された録画情報を録画終了時に前記第２の外部装置に送信する機能、前記第２の外部装置に送信した後に自端末の記憶媒体に保存された録画情報を消去する機能、をコンピュータに実現させる。
【００２６】
本発明の第４のプログラムは、テレビ視聴開始時に視聴開始した番組を自端末の記憶媒体に録画開始する機能、テレビ視聴中にユーザが録画要求メール送信操作を行うことにより視聴中の番組のチャンネル情報と現在日時情報を取得し、チャンネル情報と現在日時情報を含む録画要求メールを生成して外部装置に送信する機能、前記外部装置から録画開始結果通知メールを受信し録画開始の成功，失敗を表示する機能、前記外部装置から録画開始成功の通知を受信した場合に自端末の記憶媒体への録画を終了する機能、自端末の記憶媒体に保存された録画情報を録画終了時に前記外部装置に送信する機能、前記外部装置に送信した後に自端末の記憶媒体に保存された録画情報を消去する機能、をコンピュータに実現させる。
【発明の効果】
【００２７】
本発明においては、携帯端末でのテレビ視聴時に録画装置に対して録画要求した場合、携帯端末内部への録画と録画装置への録画を併せて行うようにしている。これにより、録画要求から録画装置における実際の録画開始までの間についても携帯端末での録画が行われているため、録画洩れが発生しないという効果が得られる。
【００２８】
また、本発明においては、番組の録画終了時刻情報を番組情報提供サーバから取得するようにしているため、携帯端末や録画装置において最新のテレビ番組表を保持，管理する必要がないという効果が得られる。
【発明を実施するための最良の形態】
【００２９】
本発明の実施の形態について図面を参照して詳細に説明する。
【００３０】
図１は、本発明の第１の実施の形態の構成を示す図であり、携帯端末１０と、番組情報提供サーバ２０と、録画装置３０と、これらを接続するインターネット等のネットワーク１００とを備えている。
【００３１】
携帯端末１０は、テレビ放送受信機能を備えた携帯電話機，ＰＨＳ(Personal Handyphone System)，ＰＤＡ(Personal Digital Assistance)等の携帯情報端末である。この携帯
端末１０は、無線部１１と、アンテナ１１Ａと、表示部１２と、スピーカ１３と、操作部１４と、時計部１５と、テレビチューナ１６と、テレビ用アンテナ１６Ａと、記憶部１７と、制御部１８とを備えている。無線部１１は図示しない基地局との間でアンテナ１１Ａを介して無線信号の送受信を行う通信装置であり、表示部１２はＬＣＤ(Liquid Crystal Display)等の表示装置である。スピーカ１３は視聴中のテレビ番組等の音声を出力し、操作部１４はテンキー，機能キー，ポインティングデバイス等の入力装置であり、録画の開始やテレビチャンネルの変更等の指示に用いられる。時計部１５はカレンダー情報や時刻情報を生成，出力する。テレビチューナ１６は、テレビ放送の電波をテレビ用アンテナ１６Ａを介して受信し、制御部１８により指定されたテレビ番組の信号を抽出する機能を備え、テレビ画像情報，テレビ音声情報，視聴中のチャンネル情報（チャンネル番号）を含む情報を提供する。記憶部１７はテレビ画像情報，テレビ音声情報等の読み出し，書き込み，消去可能な記憶装置であり、例えば、フラッシュメモリ等の不揮発メモリである。この記憶部１７には、番組情報提供サーバアドレス，録画装置メールアドレス，録画要求メールフォーマットが予め格納されており、録画時にテレビ画像情報，テレビ音声情報が格納される。番組情報提供サーバアドレスは番組情報提供サーバ２０の通信アドレスであり、録画装置メールアドレスは録画装置３０のメールアドレスである。録画要求メールフォーマットは録画装置３０に送信する録画要求メールの定型フォーマットである。この定型フォーマットには、例えば、「件名」として「録画要求」が予め記載され、「メッセージ」としてチャンネル情報や録画終了時刻情報の項目が含まれており、メール送信時にチャンネル情報や録画終了時刻情報の項目対応に該当情報が追加されて送信される。
【００３２】
制御部１８は、ＣＰＵ(Central Processing Unit)等の制御装置であり、プログラムに
より動作を制御される。この制御部１８は、
・テレビ視聴操作が行われたときに、テレビチューナ１６から該当チャンネルのテレビ画像情報を取得して表示部１２に表示させるとともに、テレビ音声情報をスピーカ１３から出力させる機能と、
・録画操作が行われたときに、視聴中のテレビ画像情報，テレビ音声情報を録画情報として記憶部１７に格納する機能と、
・録画操作が行われたときに、視聴している番組のチャンネル情報と現在日時を取得して番組情報提供サーバ２０に送信する機能と、
・番組情報提供サーバ２０から番組の終了時刻情報を受信したときに、チャンネル情報，録画終了時刻を含む録画要求メールを生成し録画装置３０に送信する機能と、
・録画装置３０から録画開始成功通知を受信したときに、記憶部１７への録画を終了する機能と、
・記憶部１７への録画終了時に、記憶部１７に格納された録画情報を録画装置３０に送信し、送信後に記憶部１７から録画情報を消去する機能と、
・録画装置３０から受信した録画開始結果情報（成功／失敗）を表示部１２に表示させる機能と、
を備えている。
【００３３】
番組情報提供サーバ２０は、ワークステーション・サーバ等の情報処理装置であり、ＥＰＧ(Electronic Program Guide，電子番組ガイド)等の番組情報を保存，提供する。番組情報には、例えば、放送日時，チャンネル情報，番組開始時刻，番組終了時刻，番組名称等が含まれる。この番組情報提供サーバ２０は、携帯端末１０から受信したチャンネル情報，現在日時情報を基に該当する番組の終了時刻を検索して携帯端末１０に送信する機能を備えている。
【００３４】
録画装置３０は、図示しないテレビチューナ等のテレビ放送受信装置を備えたパーソナルコンピュータ等の情報処理装置であり、自宅等に設置されている。この録画装置３０は、
・録画要求メールを受信し、メールに含まれるチャンネル情報，録画終了時刻を基に録画を行う機能と、
・録画が開始されたか否か（成功，失敗）を判別して携帯端末１０に通知する機能と、
・携帯端末１０から受信した録画情報を保存する機能と、
を備えている。
なお、録画が開始されたか否か（成功，失敗）の判別については、例えば、
・録画するＤＶＤ(Digital Versatile Disk)等の記憶媒体の保存データ量を録画開始時と所定時間後（例えば、１５秒後）で比較し、所定時間後の保存データ量が増えていた場合に録画開始成功と判別し、保存データ量が増えていなかった場合に録画開始失敗と判別、または、
・録画開始から所定時間後（例えば、１５秒後）にテレビチューナから抽出，録画される画像のノイズデータを検出し、画像全体がノイズデータでなかった場合に録画開始成功と判別し、画像全体がノイズデータであった場合に録画開始失敗と判別、
等の方法により判別してもよいし、上記に限定されず他の方法で判別してもよい。
【００３５】
次に、本発明の第１の実施の形態の動作について図１および図２を参照して説明する。図２は、本発明の第１の実施の形態の動作を示すフローチャートである。
【００３６】
図２を参照すると、ユーザが携帯端末１０の操作部１４からテレビ視聴の操作を行うと、制御部１８はテレビチューナ１６から取得したテレビ画像情報を表示部１２に表示させるとともに、テレビ音声情報をスピーカ１３に出力させる（ステップＡ１）。次に、ユーザが操作部１４から録画操作を行うと、制御部１８は、テレビチューナ１６から取得したテレビ画像情報とテレビ音声情報の記憶部１７への保存（録画）を開始する。このとき、ステップＡ１のテレビ視聴状態は継続したままである。なお、録画操作については、例えば、操作部１４の機能キーの一つを録画キーに設定しておき、制御部１８が録画キーの押下を録画操作と判別して録画を開始する（ステップＡ２，Ａ３）。
【００３７】
次に、制御部１８は、テレビチューナ１６から視聴中のテレビ番組のチャンネル情報（チャンネル番号）を取得するとともに（ステップＡ４）、時計部１５から現在日時を取得する（ステップＡ５）。そして、制御部１８は、番組情報提供サーバ２０のアドレスを記憶部１７から抽出してアクセスし、チャンネル情報と現在日時情報を番組情報提供サーバ２０に送信して番組終了時刻の検索を要求する（ステップＡ６）。番組情報提供サーバ２０は、受信したチャンネル情報，現在日時情報を基に該当する番組を内部データベースから検索し、その番組の終了時刻を取得して携帯端末１０に送信する（ステップＡ７）。
【００３８】
終了時刻を受信した携帯端末１０の制御部１８は、録画要求メールを生成し自宅等に設置された録画装置３０に送信する。詳細には、制御部１８は記憶部１７から録画要求メールフォーマットを取得し、メールフォーマットのチャンネル情報，録画終了時刻情報の項目対応に、視聴中の番組のチャンネル情報，終了時刻を書き込んで録画要求メールを生成する。録画装置３０のメールアドレスについては、制御部１８が記憶部１７から取得する。なお、録画開始時刻については、本発明は視聴中の番組を録画要求した時点から即時に録画するものであるため特に指定しない（ステップＡ８，Ａ９）。
【００３９】
録画要求メールを受信した録画装置３０は、録画要求メールに含まれるチャンネル情報，終了時刻を取得して録画を開始する。なお、録画開始に関しては録画開始時刻情報が録画要求メールに含まれていないため即時に開始し、録画終了に関しては録画要求メールに含まれている終了時刻に終了する（ステップＡ１０，Ａ１１）。次に、録画装置３０は、録画が開始されたかを判別する。詳細には、上述したように、
・録画するＤＶＤ(Digital Versatile Disk)等の記憶媒体の保存データ量を録画開始時と所定時間後（例えば、１５秒後）で比較し、所定時間後の保存データ量が増えていた場合に録画開始成功と判別し、保存データ量が増えていなかった場合に録画開始失敗と判別、または、
・録画開始から所定時間後（例えば、１５秒後）にテレビチューナから抽出，録画される画像のノイズデータを検出し、画像全体がノイズデータでなかった場合に録画開始成功と判別し、画像全体がノイズデータであった場合に録画開始失敗と判別、
等の方法により判別してもよいし、上記に限定されず他の方法で判別してもよい（ステップＡ１２）。そして、録画装置３０は、録画開始結果情報（成功／失敗）を含む録画開始結果通知メールを生成し、予め登録された携帯端末１０のメールアドレス宛に送信する（ステップＡ１３，Ａ１４）。
【００４０】
録画開始結果通知メールを受信した携帯端末１０の制御部１８は、メールに含まれる録画開始成功／失敗情報により録画開始の成功，失敗を判別する（ステップＡ１５，Ａ１６）。成功であった場合、制御部１８は記憶部１７への録画を終了し（ステップＡ１７）、記憶部１７に保存された録画情報（テレビ画像情報，テレビ音声情報）を録画装置３０に送信する（ステップＡ１８）。録画装置３０は受信した録画情報を保存する（ステップＡ１９）。携帯端末１０の制御部１８は、ステップＡ１８で送信した録画情報を記憶部１７から消去する（ステップＡ２０）。そして、制御部１８は、ステップＡ１６で判別した録画開始結果（成功／失敗）を表示部１２に表示させる（ステップＡ２１）。
【００４１】
以上説明したように、本実施の形態においては、携帯端末１０でのテレビ番組視聴中に録画要求した場合、携帯端末１０内部への録画と録画装置３０への録画を併せて行うようにしている。これにより、録画要求から番組録画装置における実際の録画開始までの間についても携帯端末１０での録画が行われているため、録画洩れが発生しないという効果が得られる。
【００４２】
また、本実施の形態においては、携帯端末１０が録画装置３０における録画開始を受信することにより、携帯端末１０内部への録画を終了させるようにしているため、携帯端末１０の録画用記憶部１７のメモリサイズが少ないもので済むという効果が得られる。
【００４３】
また、本実施の形態においては、録画要求から録画装置３０における録画開始までの間に携帯端末１０に録画された録画情報を録画装置３０に送信，保存させるようにした。このため、録画装置３０における録画情報と携帯端末１０における録画情報の両方を録画装置で保存，再生できるという効果が得られる。
【００４４】
また、本実施の形態においては、録画終了時刻を番組情報提供サーバ２０から取得しているため、携帯端末１０において最新のテレビ番組表を保持，管理する必要がないという効果が得られる。
【００４５】
次に、本発明の第２の実施の形態について図１〜図３を参照して説明する。図３は、本発明の第２の実施の形態の動作を示すフローチャートである。
【００４６】
本実施の形態が第１の実施の形態と異なる点は、番組の終了時刻の取得を第１の実施の形態においては携帯端末１０が行うのに対し、本実施の形態においては録画装置３０が行うようにした点である。本実施の形態の構成は、図１に示す第１の実施の形態の構成と同じである。但し、携帯端末１０から番組情報提供サーバ２０への接続が不要となるため、記憶部１７における番組情報提供サーバアドレスの登録は不要となる。
【００４７】
次に、本実施の形態の動作について図２および図３を参照して説明する。
上述した第１の実施の形態の動作フローチャート（図２）において、ステップＡ６〜ステップＡ１１を、図３のステップＢ６〜ステップＢ１０に置き換えたものが本実施の形態の動作フローチャート（図３）である。図２のステップＡ１〜ステップＡ５は図３のステップＢ１〜ステップＢ５と、図２のステップＡ１２〜ステップＡ２１は図３のステップＢ１１〜ステップＢ２０と、それぞれ同じである。ここでは、説明の重複を避けるため、図３のステップＢ６〜ステップＢ１０の動作について説明する。
【００４８】
図３を参照すると、携帯端末１０の制御部１８は、録画要求メールを生成し自宅等に設置された録画装置３０に送信する。詳細には、制御部１８は記憶部１７から録画要求メールフォーマットを取得し、メールフォーマットのチャンネル情報，現在日時情報の項目対応に、視聴中の番組のチャンネル情報，現在日時を書き込んで録画要求メールを生成する。録画装置３０のメールアドレスについては、制御部１８が記憶部１７から取得する（ステップＢ６）。録画要求メールを受信した録画装置３０は、録画要求メールに含まれるチャンネル情報，現在日時を取得して番組情報提供サーバ２０に送信し番組終了時刻の検索を要求する（ステップＢ７）。番組情報提供サーバ２０は、受信したチャンネル情報，現在日時情報を基に該当する番組を内部データベースから検索し、その番組の終了時刻を取得して録画装置３０に送信する（ステップＢ８）。
【００４９】
終了時刻を受信した録画装置３０は、チャンネル情報，終了時刻を基に録画を開始する。なお、録画開始に関しては録画開始時刻情報が録画要求メールに含まれていないため即時に開始し、録画終了に関しては番組情報提供サーバ２０から取得した終了時刻に終了する（ステップＢ９，Ｂ１０）。
【００５０】
以上説明したように、本実施の形態においては、録画装置３０が番組終了時刻を取得するようにしたため、携帯端末１０にとっては番組情報提供サーバ２０にアクセスして番組終了時刻を取得する必要がなくなるという効果がさらに得られる。
【００５１】
次に、本発明の第３の実施の形態について図１，図２および図４を参照して説明する。図４は、本発明の第３の実施の形態の動作を示すフローチャートである。
【００５２】
上述した第１の実施の形態においては、携帯端末１０における録画操作により、携帯端末１０における録画開始と録画装置３０に対する録画要求の両方の処理を行うとして説明した。本実施の形態が第１の実施の形態と異なる点は、携帯端末１０における録画開始をテレビ視聴開始時に行うようにした点である。そして、録画装置３０に対する録画要求については、ユーザによる操作が行われた場合であることは第１の実施の形態と同じであるが、録画キー（第１の実施の形態）に代わり、本実施の形態においては録画要求メール送信キーを用いる点のみ異なっている。本実施の形態の構成は、図１に示す第１の実施の形態の構成と同じである。但し、上述したように携帯端末１０の操作部１４における録画キーは録画要求メール送信キーに置き換えられている。
【００５３】
次に、本実施の形態の動作について図２および図４を参照して説明する。
上述した第１の実施の形態の動作フローチャート（図２）において、ステップＡ１〜ステップＡ４を、図４のステップＣ１〜ステップＣ４に置き換えたものが本実施の形態の動作フローチャート（図４）である。図２のステップＡ５〜ステップＡ２１は図４のステップＣ５〜ステップＣ２１と同じである。ここでは、説明の重複を避けるため、図４のステップＣ１〜ステップＣ４の動作について説明する。
【００５４】
図４を参照すると、ユーザが携帯端末１０の操作部１４からテレビ視聴の操作を行うと、制御部１８はテレビ視聴処理と録画処理を実行する。詳細には、制御部１８はテレビチューナ１６から取得したテレビ画像情報を表示部１２に表示させ、テレビ音声情報をスピーカ１３に出力させるとともに、テレビ画像情報，テレビ音声情報を記憶部１７に保存（録画）する（ステップＣ１，Ｃ２）。次に、ユーザが操作部１４の録画要求メール送信キーを押下すると、制御部１８はテレビチューナ１６から視聴中テレビ番組のチャンネル情報（チャンネル番号）を取得する（ステップＣ３，Ｃ４）。
【００５５】
次に、本発明の第４の実施の形態について説明する。
【００５６】
上述した第３の実施の形態は、図４のステップＣ１〜ステップＣ４を図２（第１の実施の形態）のステップＡ１〜ステップＡ４に代えて適用するとして説明した。本実施の形態は、図４のステップＣ１〜ステップＣ４を図３（第２の実施の形態）のステップＢ１〜ステップＢ４に代えて適用するものである。なお、図４のステップＣ１〜ステップＣ４の動作および図３（第２の実施の形態）の動作については上述した通りであるため、ここでの説明は省略する。
【００５７】
以上説明したように、第３，第４の実施の形態においては、テレビ視聴と同時に携帯端末１０への録画を行うようにしている。これにより、第１，第２の実施の形態におけるテレビ視聴開始から録画キー押下による録画開始までの間についても、第３，第４の実施の形態においては自動的に録画されるため、視聴した部分についても後で録画再生して参照できるという効果がさらに得られる。
【００５８】
次に、本発明の応用例，変形例等について説明する。
【００５９】
・上述した第２の実施の形態において、現在日時情報を携帯端末１０からの録画要求メールに含めて録画装置３０に送信するとして説明したが、録画要求メールにはチャンネル情報だけを含め、現在日時情報は録画装置３０が取得するようにしてもよい。
【図面の簡単な説明】
【００６０】
【図１】本発明の第１の実施の形態の構成を示す図である。
【図２】本発明の第１の実施の形態の動作を示すフローチャートである。
【図３】本発明の第２の実施の形態の動作を示すフローチャートである。
【図４】本発明の第３の実施の形態の動作を示すフローチャートである。
【符号の説明】
【００６１】
１０    携帯端末
１１    無線部
１１Ａ    アンテナ
１２    表示部
１３    スピーカ
１４    操作部
１５    時計部
１６    テレビチューナ
１６Ａ    テレビ用アンテナ
１７    記憶部
１８    制御部
２０    番組情報提供サーバ
３０    録画装置
１００    ネットワーク
【図１】
2007201652.tif 000003
【図２】
2007201652.tif 000004
【図３】
2007201652.tif 000005
【図４】
2007201652.tif 000006